(57)【要約】      （修正有）【課題】スノーボード、スケートボードのジャンプの技術向上、安全技術向上に努めた製品を提供する。【解決手段】符号１、符号２、符号３、符号４、符号５を組み立てて、その上をジャンプしてジャンプの高さを向上させる道具で、初心者から上級者まで幅広くレベルアップを行いまた安全技術の促進にも努める事になり、また、マグネットの使用の為、誰でも簡単に設置又は調整ができる考案になっています。小型で組み立て式の構造である為に持ち運びも便利であります。さらに道具が氷点下で凍ったとしてもマグネットの効果の為、問題なく扱える。【選択図】図１
0003140370.tif 000002
【実用新案登録請求の範囲】
【請求項１】
マグネットを利用したスノーボード、スケートボードのジャンプ養成道具である。
【請求項２】
請求項１となるスノーボード、スケートボードのジャンプ養成道具は組み立て式で持ち運びにおいて非常に便利な形態である。
【考案の詳細な説明】
【技術分野】
【０００１】  本考案はスノーボード、スケートボードのジャンプ技術を初心者から上級者まで向上させる為の練習道具に関する考案になります。
【背景技術】
【０００２】  現在スノーボード、スケートボードの専門練習道具にジャンプを専門とする練習道具はありません。ここで私はスノーボード。スケートボードの技術向上の為の本考案をいたします。
【考案の開示】
【考案が解決しようとする課題】
【０００３】  近年スノーボード、スケートボードにおける競技人口は増えつつあります。それに伴い世界大会など様々なイベントなども行われております。ですが、その競技人口とは逆に専門の練習道具など技術向上につながる専門道具はかなり希少な数しか現在ありません。その為、初心者の怪我の数も増加し悪循環を引き起こす傾向も見られます。この先の未来の技術向上と怪我の悪循環を減らす為に練習道具を作り解決するべきだと考えました。【０００４】  スノーボード、スケートボードの技術向上にジャンプはなくてはならない技術ですがそれを専門とする練習道具はありません。
またジャンプ技術の向上は怪我の防止にもつながります。
本考案は初心者から上級者までジャンプの練習ができ、かつ誰でも簡単に設置や取り外しが可能できる事を課題としました。【０００５】  スノーボードの使用の際には寒い天候での使用となり手袋を装着している人がほとんどでありますが本考案は手袋を装着したままでも使用しやすい構造になっております。
また本考案は悪天候の下（氷点下）でも使用可能であり道具が凍り付いても使用できる構造を課題としました。【０００６】  本考案はハードルのような設計になっておりますが、通常のハードルではスノーボード、スケートボードでは使用する事はできますが安全面におきまして非常に危険を伴います。
その為、専用の技術を用いて考案し安全かつ簡単な構造を課題としました。
【課題を解決する為の手段】
【０００７】  ジャンプの高さを明確に表しまた細かい高さの調整もできる事が重要になります。
この考案ではかなり低い高さから高さを決められ高さの上限はなく練習が可能となります。
また目に見えてすぐに確認などできる構造である為、すぐさま技術向上に役立てる事ができます。
【０００８】  図１が組み立てられた考案の形状になります。
【０００９】  図１の符号４の部分の形状の為、スノーボードでは雪面に挿す事が可能です。
図１の符号４を符号５に変えてしまえばスケートボード用の平地に立てる事が可能です。
【００１０】  スノーボードの場合、図１から符号１、符号２、符号３、符号４と組み立てていますが図１の符合２の部分にはマグネットを用いて符号３と連結させて組み立てます。したがって符号２符号３はマグネットによって接着している状態になります。
【００１１】  符号１、符号２のマグネット装着部分までは円柱の形状になっております。
これはスノーボード、スケートボードは符号１、符合２の上を跳んでいきますが、高さが足りず符号１、符号２に接触した場合符号１、符号２は落ちてしまいます。
符号１、符号２は雪面に落ちてスノーボードは符号１、符号２の上を直接滑ってしまいます。
その為、符号１、符号２が角を持つ形状であればスノーボードの裏面には傷がつく場合もあり、転倒時には接触した際の怪我につながる可能性がありますが、符号１、符号２は円柱の為そういったアクシデントを軽減する事ができます。
【００１２】  スケートボードもスノーボードを同様、符合１、符合２の上を跳ぶ事になりますが、スノーボード同様に接触の際この形状であれば、転倒のアクシデントを軽減する事ができます。
【００１３】  符号２にマグネットを用いる事により、符号３はマグネットが付く素材を使用します。
この加工により、細かく高さの調整が可能となりまた氷点下で氷ついたとしても使用可能となります。
【００１４】  スノーボード、スケートボードどちらに使用する際も符号１、符号２の連結。符号３、符号４、符号５の連結。共に連結部分が同じ形状になる為、様々な幅、様々な高さを提供する事が可能です。
【００１５】  スノーボードの使用の際、図１のように組み立てを行います。その際、設置する方向は決まっています。スノーボードの場合、山側に符号３、符号４。谷側には符合１、符合２になります。
滑走者は山側より助走をつけて符号１、符号２を跳び越える事になります。
この設置であれば符号１、符号２に抵抗する物質はなく、スノーボードが接触したとしても符号１、符号２はそのまま雪面に落ちます。
【００１６】  スケートボードの場合の設置では滑走者が助走をつけて来る方向に符号３、符号５を設置します。符号１、符号２は跳び越えた側に設置する事になります。この設置であれば、スノーボード同様、接触の際、符号１、符号２は抵抗なく平地に落ちていきます。
【００１７】  スノーボードでは下り坂での設置の為、接触の際、落ちた符号１、符号２は転がり落ちる心配がありますが符号２の構造上転がり落ちる心配はありません。
【考案の効果】
【００１８】  発明が解決しようとする課題にもありますが、近年スノーボード、スケートボードの競技人口は増加している中、装備品だけがどんどん増える一方。競技における技術向上を考えた道具は着目されていないのが現状です。
その中でこの考案道具は今までにまったくない、初心者から上級者までジャンプの練習ができ、これを練習する事により技術向上・レベルアップ・怪我の防止、この３点につながる道具となります。
そしてこの考案道具はどんな人でも手軽に持ち運びができ、簡単に設置、幅や高さ調整ができるスノーボード、スケートボードのジャンプの練習ができる養成機になります。
【００１９】  スノーボード、スケートボードのジャンプの練習は競技において、とても大切な練習の基礎となっています。ジャンプを強化する事によってこれから先のスノーボード、スケートボードの技術成長の最良につながります。
【００２０】  特にこの考案道具はどんなレベルの人にも対応する事ができ、またすぐに高さの確認ができる事により、より早く自分のジャンプの高さがわかりすぐに技術向上に結びつくと考えられます。この考案道具によりこれから先のスノーボード、スケートボードのジャンプ技術は向上する事間違いないと思われます。また小型で持ち運びやすく簡単に組み立てができる事は非常に練習の気軽さに結びつくと考えられます。
【考案の実地するための最良の形態】
【００２１】  スノーボードの際は図１が組み立てられた考案の形状になります。組み上がりましたら、レベルに合わせて符号１、符合２の高さを調整して跳び越えてくたさい。符号２、符号３の連結がマグネットの為簡単に高さの調節が簡単に行えます。
【００２２】  スノーボードの際、図１の符号４の部分の形状の為、雪面に挿す事が可能です。
図１の符号４を符号５に変えてしまえばスケートボード用の平地に立てる事が可能です。
【００２３】  スノーボード、スケートボードの使用の際、符号１、符号２、符号３、符号４、符号５と組み立てていますが、符号２にはマグネットを用いて符号３と連結させて組み立てます。
【００２４】  符号１、符号２のマグネット装着部分までは円柱の形状になっております。
これはスノーボード、スケートボードは符号１、符号２の上を跳んでいきますが、高さが足りず符号１、符号２に接触した際、スノーボードの場合では符号１、符号２は雪面に落ちてスノーボードは符号１、符号２上を直接滑ってしまいます。
その為、符号１、符合２が角を持つ形状であればスノーボードの裏面には傷がつく可能性があり、転倒時には接触した際の怪我につながる可能性がありますが、符号１、符号２は円柱の為そういったアクシデントを軽減する事ができます。
【００２５】  スケートボードもスノーボードを同様、符合１、符合２の上を跳ぶ事になりますか、符号１符号２の形状の為に接触、転倒のアクシデントを軽減する事ができます。
【００２６】  符号２にマグネットを用いる事により、符号３はマグネットが付く素材を使用します。この加工により、細かく高さの調整が可能となります。
【００２７】  符号１、符号２、符号３、符号４、符号５共に連結部分が同じ形状になる為様々な幅、様々な高さを提供する事が可能です。
【００２８】  図１のように組み立てを行います。その際、設置する方向は決まっています。
スノーボードの場合、山側に符号３、符号４。谷側には符号１、符合２になります。
滑走者は山側より助走をつけて符号１、符号２を跳び越える事になります。
この設置であれば符号１、符号２に抵抗する物質はなく、スノーボードが接触したとしても符号１、符号２はそのまま雪面に落ちます。
【００２９】  スケートボードの場合の設置では滑走者が助走をつけて来る方向に符号３、符号５を設置します。符号１、符号２は跳び越えた側に設置する事になります。この設置であれば、スノーボード同様、接触の際、符号１、符号２は抵抗なく平地に落ちていきます。
【００３０】  スノーボードでは下り坂での設置の為、接触の際、符号１、符号２は転がり落ちる心配がありますが符号２の構造上転がり落ちる心配はありません。
【実地例】
【００３１】  図１が組み立てられた考案の形状になります。符号１、符号２を連結させます。
次に符号３、符号４を組み立てます。スケートボードでは符号４を符号５にして組み立てます。
組みあがった二つの道具を図１のようにマグネット部分で連結させれば出来上がりです。後は高さを調整して跳び越えてくたさい。
【００３２】  図１の符号４の部分の形状の為、スノーボードでは雪面に挿す事が可能です。
図１の符号４を符号５に変えてしまえばスケートボード用の平地に立てる事が可能です。
【００３３】  スノーボード、スケートボードの使用の際、符号１、符号２、符号３、符号４、符号５と組み立てます。図１の符号２の部分にはマグネットを用いて符号３と連結させて組み立てます。
【００３４】  符号１、符号２のマグネット装着部分までは円柱の形状になっております。
これはスノーボード、スケートボードは符号１、符号２の上を跳んでいきますが、高さが足りず符号１、符号２に接触した際、スノーボードの際、符号１、符号２は雪面に落ちてスノーボードは符号１、符号２の上を直接滑ってしまいます。
その為、符号１、符号２が角を持つ形状であればスノーボードの裏面には傷がつく可能性があり、転倒時には接触した際の怪我につながる可能性がありますが、符号１、符号２は円柱の為そういったアクシデントを軽減する事ができます。
【００３５】  スケートボードもスノーボードを同様、符合１、符合２の上を跳ぶ事になりますが、スノーボード同様に符号１、符号２の形状であれば接触、転倒のアクシデントを軽減する事ができます。
【００３６】  符号２にマグネットを用いる事により、符号３はマグネットが付く素材を使用します。この加工により細い高さの調整が可能となります。
【００３７】  符号１、符号２、符号３、符号４、符号５共に連結部分が同じ形状になる為様々な幅、様々な高さを提供する事が可能です。
【００３８】  図１のように組み立てを行います。その際、設置する方向は決まっています。
スノーボードの場合、山側に符号３、符号４谷側には符合１、符合２になります。
滑走者は山側より助走をつけて符号１、符号２を跳び越える事になります。
この設置であれば符号１、符号２に抵抗する物質はなく、スノーボードが接触したとしても符号１、符号２はそのまま雪面に落ちます。
【００３９】  スケートボードの場合の設置では滑走者が助走をつけて来る方向に符号３、符号５を設置します。符号１、符号２は跳び越えた側に設置する事になります。この設置であれば、スノーボード同様、接触の際、符号１、符号２は抵抗なく平地に落ちていきます。
【００４０】  スノーボードでは下り坂での設置の為、接触の際、符号１、符号２は転がり落ちる心配がありますが符号２の構造上転がり落ちる心配はありません。
【図面の簡単な説明】
【００４１】
【図１】スノーボード用に組み立てられた全体図になります。矢印は滑走者が飛んでくる方向になります。
【図２】全体の部品の組み立て前の状態の正面図状態。また連結の部分を矢印で示しています。
【図３】スノーボードの使用の際の組み立て完成図
【図４】スケートボードの使用の際の組み立て完成図
【符号の説明】
【００４２】１  全体の部品の一部であり、主にスノーボード、スケートボードが飛び越える部品になります。またこの部品は符号２と連結させて使います。形状は円柱になります。
２  全体の部品の一部であり四角の部分にはマグネットが装着されています。マグネットまでは円柱の形状になっています。符号１と連結させて使います。
３  全体の部品の一部であり、主に縦に使う事になります。ここに高さを表記します。マグネットが付く素材でできており符号２とマグネットにより連結させて使います。また形状も符号２のマグネットとの連結部分は平面に加工しマグネットが付きやすい構造である。符合４、符号５と連結が可能です。
４  全体の部品の一部であり、スノーボードの使用の際に使われます。雪面に挿す為の部品になります。符合３と連結して使います。
５  全体の部品に一部であり、スケートボードの使用の際に使われます。平地の置く土台となる足になります。符号３と連結して使います。
【図１】
0003140370.tif 000003
【図２】
0003140370.tif 000004
【図３】
0003140370.tif 000005
【図４】
0003140370.tif 000006
【手続補正書】
【提出日】平成20年1月17日(2008.1.17)
【手続補正１】
【補正対象書類名】実用新案登録請求の範囲
【補正対象項目名】全文
【補正方法】変更
【補正の内容】
【実用新案登録請求の範囲】
【請求項１】
円柱形であって、長手方向端部に嵌合部を有する第一部材（１）、
立方体部と円筒部とを有するＴ字形であって、円筒部が上記第一部材の長手方向の両端部にそれぞれ嵌合する第二部材（２）、
棒状部材であって、上記第二部材の立方体部を吸着する吸着面と、この吸着面の反対側端部に嵌合部を有する第三部材（３）、
上記第三部材の嵌合部に嵌合し設置部材となる第四部材（４，５）、を有し、
上記の各部材を組み合わせることでハードル形状をなし、スノーボードやスケートボードによるジャンプの練習に用いるジャンプ養成具であって、
上記第二部材の立方体部が磁石であり、
上記第三部材の上記第二部材の立方体部との吸着面が磁性体であることを特徴とするスノーボード、スケートボードのジャンプ養成機。
【請求項２】
上記第四部材が、雪面に突刺すことができる尖塔形状、もしくは、地面に設置可能な縦断面が凸形状のいずれかであって、上記第三部材の嵌合部に嵌合することで雪面または地面に自立させることができる請求項１記載のスノーボード、スケートボードのジャンプ養成機。